(57)【要約】【課題】視方向画像の解像度の劣化を抑制しつつ、元画像データのデータ量を減縮することにより視方向画像データを生成する。【解決手段】  視方向画像に対応する元画像データに対して、データ量が少なくとも垂直方向に減縮されるように間引き処理を実行することによって、データ量が１／ｎに減縮された画像データを、視方向画像データとして生成する。【選択図】図１
2008292666.tif 000002
【特許請求の範囲】
【請求項１】
ｎ方向（ｎは２以上の整数）の視方向に対応するｎ個の視方向画像が組み合わされて構成される指向性表示用画像を生成するために、前記ｎ個の視方向画像に対応するｎ個の視方向画像データを生成する視方向画像データ生成装置であって、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
各視方向画像に対応する元画像データに対して、それぞれ、データ量が少なくとも垂直方向に減縮されるように間引き処理を実行することによって、前記データ量が１／ｎに減縮された画像データを、前記ｎ個の視方向画像データとして生成する、
ことを特徴とする視方向画像データ生成装置。
【請求項２】
請求項１に記載の視方向画像データ生成装置であって、
前記画素ブロックはｎ行３列の前記画素要素で構成されており、
前記ｎ個の視方向画像データは、それぞれ、対応する前記元画像データに対して垂直方向のデータ量を（１／ｎ）に減縮した画像データである、
ことを特徴とする視方向画像データ生成装置。
【請求項３】
請求項１に記載の視方向画像データ生成装置であって、
前記画素ブロックは３行ｎ列の前記画素要素で、かつ、各行ごとのｎ列が１列ずつ階段状にずれて構成されており、
前記ｎ個の視方向画像データは、それぞれ、対応する前記元画像データに対して垂直方向のデータ量を（１／３）に減縮し、水平方向のデータ量を（３／ｎ）に減縮した画像データである、
ことを特徴とする視方向画像データ生成装置。
【請求項４】
請求項１ないし請求項３のいずれかに記載の視方向画像データ生成装置であって、
生成した前記ｎ個の視方向画像データを外部の装置に送信する、
ことを特徴とする視方向画像データ生成装置。
【請求項５】
請求項１ないし請求項３のいずれかに記載の視方向画像データ生成装置であって、
生成した前記ｎ個の視方向画像データを所定の記憶装置に保存する、
ことを特徴とする視方向画像データ生成装置。
【請求項６】
請求項５に記載の視方向画像データ生成装置であって、
前記所定の記憶装置に保存した前記ｎ個の視方向画像データを読み出して、外部の装置に送信する、
ことを特徴とする視方向画像データ生成装置。
【請求項７】
請求項４または請求項６に記載の視方向画像データ生成装置であって、
前記ｎ個の視方向画像データを１組の画像データとしてまとめて送信する、
ことを特徴とする視方向画像データ生成装置。
【請求項８】
請求項４または請求項６に記載の視方向画像データ生成装置であって、
前記ｎ個の視方向画像データを連続する１連の画像データとして送信する、
ことを特徴とする視方向画像データ生成装置。
【請求項９】
ｎ方向（ｎは２以上の整数）の視方向に対応するｎ個の視方向画像が組み合わされて構成される指向性表示用画像を表す指向性表示用画像データを生成する指向性表示用画像データ生成装置であって、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
前記ｎ個の視方向画像データは、各視方向画像に対応する元画像データに対して、それぞれ、データ量が少なくとも垂直方向に減縮されるように間引き処理を実行することによって、前記データ量が１／ｎに減縮された画像データであり、
前記ｎ個の視方向画像に対応するｎ個の視方向画像データを受信し、受信した前記ｎ個の視方向画像データが、それぞれ、各画素ブロックにおける各視方向画像ごとの前記３色の画素要素の位置となるように展開処理を実行することにより、前記指向性表示用画像データを生成する、
ことを特徴とする指向性表示用画像データ生成装置。
【請求項１０】
ｎ方向（ｎは２以上の整数）の視方向に対応するｎ個の視方向画像が組み合わされて構成される指向性表示用画像を表示し、前記指向性表示用画像に含まれる前記ｎ個の視方向画像を、それぞれ対応する前記視方向ごとに分離して表示する指向性表示ディスプレイであって、
前記指向性表示用画像を表す指向性表示用画像データを生成する指向性表示用画像データ生成部と、
前記指向性表示用画像データ生成装置で生成された前記指向性表示用画像データに基づいて前記指向性表示用画像を表示し、前記指向性表示用画像に含まれる前記ｎ個の視方向画像を、それぞれ対応する前記視方向ごとに分離して表示する指向性表示部と、
を備え、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
前記ｎ個の視方向画像データは、各視方向画像に対応する元画像データに対して、それぞれ、データ量が少なくとも垂直方向に減縮されるように間引き処理を実行することによって、前記データ量が１／ｎに減縮された画像データであり、
前記指向性表示用画像データ生成部は、
前記ｎ個の視方向画像に対応するｎ個の視方向画像データを受信し、受信した前記ｎ個の視方向画像データが、それぞれ、各画素ブロックにおける各視方向画像ごとの前記３色の画素要素の位置となるように展開処理を実行することにより、前記指向性表示用画像データを生成する、
ことを特徴とする指向性表示ディスプレイ。
【請求項１１】
方向（ｎは２以上の整数）の視方向に対応するｎ個の視方向画像が組み合わされて構成される指向性表示用画像を表示し、前記指向性表示用画像に含まれる前記ｎ個の視方向画像を、それぞれ対応する前記視方向ごとに分離して表示する指向性表示システムであって、
視方向画像データ生成装置と、指向性表示ディスプレイと、を備え、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
前記視方向画像データ生成装置は、
各視方向画像に対応する元画像データに対して、それぞれ、データ量が少なくとも垂直方向に減縮されるように間引き処理を実行することによって、前記データ量が１／ｎに減縮された画像データを、前記ｎ個の視方向画像データとして生成し、生成した前記ｎ個の視方向画像データを前記指向性表示ディスプレイに送信し、
前記指向性表示ディスプレイは、
前記視方向画像データ生成装置から送信された前記ｎ個の視方向画像データを受信し、受信した前記ｎ個の視方向画像データが、それぞれ、各画素ブロックにおける各視方向画像ごとの前記３色の画素要素の位置となるように展開処理を実行することにより、前記指向性表示用画像データを生成する、
ことを特徴とする指向性表示システム。
【請求項１２】
ｎ方向（ｎは２以上の整数）の視方向に対応するｎ個の視方向画像が組み合わされて構成される指向性表示用画像を生成するために、前記ｎ個の視方向画像に対応するｎ個の視方向画像データを生成する視方向画像データ生成方法であって、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
各視方向画像に対応する元画像データに対して、それぞれ、データ量が少なくとも垂直方向に減縮されるように間引き処理を実行することによって、前記データ量が１／ｎに減縮された画像データを、前記ｎ個の視方向画像データとして生成する、
ことを特徴とする視方向画像データ生成方法。
【請求項１３】
ｎ方向（ｎは２以上の整数）の視方向に対応するｎ個の視方向画像が組み合わされて構成される指向性表示用画像を表す指向性表示用画像データを生成する指向性表示用画像データ生成方法であって、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
前記ｎ個の視方向画像データは、各視方向画像に対応する元画像データに対して、それぞれ、データ量が少なくとも垂直方向に減縮されるように間引き処理を実行することによって、前記データ量が１／ｎに減縮された画像データであり、
前記ｎ個の視方向画像に対応するｎ個の視方向画像データを受信し、受信した前記ｎ個の視方向画像データが、それぞれ、各画素ブロックにおける各視方向画像ごとの前記３色の画素要素の位置となるように展開処理を実行することにより、前記指向性表示用画像データを生成する、
ことを特徴とする指向性表示用画像データ生成方法。
【発明の詳細な説明】
【技術分野】
【０００１】
この発明は、例えば、２画面表示ディスプレイや３Ｄ表示ディスプレイ（立体表示ディスプレイ）などの指向性表示ディスプレイにおいて、複数の方向（以下、「視方向」とも呼ぶ）から見た場合に、視方向ごとに異なる画像（以下、「視方向画像」とも呼ぶ）を分離して同時に表示するために、各視方向画像の画像データ（以下、「視方向画像データ」とも呼ぶ）を生成し、生成した各視方向画像データを指向性表示ディスプレイに供給するための視方向画像データ生成装置、視方向画像データ生成装置から供給された複数の視方向画像データに基づいて指向性表示用画像データを生成し、生成した指向性表示用画像データに基づいて各視方向画像を各視方向ごとに分離して同時に表示する指向性表示ディスプレイ、および、指向性表示システムに関する。
【背景技術】
【０００２】
従来の指向性表示ディスプレイでは、複数の視方向画像の元となる複数の画像（以下、「元画像」とも呼ぶ）の画像データ（以下、「元画像データ」とも呼ぶ）を受信し、受信した複数の元画像データに基づいて、複数の視方向画像が組み合わされた合成画像（以下、「指向性表示用画像」とも呼ぶ）の画像データ（以下、「指向性表示用画像データ」とも呼ぶ）を生成し、生成した指向性表示用画像を表示パネルに表示する。そして、表示パネルに表示されている指向性表示用画像から射出される画像光の射出方向が、表示パネルの前面に配置されているイメージスプリッタ（パララックスバリア，レンチキュラレンズ等）によって各視方向画像ごとにそれぞれ制限されることによって、それぞれの視方向で異なる視方向画像の表示（以下、「指向性表示」とも呼ぶ）が実現されている。
【０００３】
従って、従来の指向性表示ディスプレイでは、同時に表示する視方向画像の数が増える分だけ、指向性表示ディスプレイに伝送される画像データの量（以下、「画像データ伝送量」とも呼ぶ）が増加する。この結果、指向性表示ディスプレイへの画像データの高速な伝送が困難となり、指向性表示ディスプレイにおけるリアルタイムな表示が困難となる、という問題がある。
【０００４】
なお、例えば、特許文献１には、複数の視方向画像に対応する複数の元画像データに対して、それぞれの元画像が横方向（行方向）に減縮されるように、減縮演算を実行することにより、指向性表示ディスプレイへの画像データ伝送量を低減することが開示されている。しかしながら、人間の目の分解能は縦方向（垂直方向）に比べて横方向（水平方向）の方が高いため、上記のように横方向の減縮によって発生する解像度の劣化が目立ってしまう可能性がある。
【０００５】
【特許文献１】特開２００４−２８９６８１号公報
【発明の開示】
【発明が解決しようとする課題】
【０００６】
この発明は、指向性表示ディスプレイにおいて複数の視方向画像を分離して同時に表示する際に、視方向画像の解像度の劣化を抑制しつつ、それぞれの元画像データのデータ量を減縮することにより視方向画像データを生成して、指向性表示ディスプレイに伝送し、指向性表示ディスプレイにおけるリアルタイムな表示を可能とする技術を提供することを目的とする。
【課題を解決するための手段】
【０００７】
本発明は、上記した目的の少なくとも一部を達成するためになされたものであり、以下の形態または適用例として実現することが可能である。
［適用例１］ｎ方向（ｎは２以上の整数）の視方向に対応するｎ個の視方向画像が組み合わされて構成される指向性表示用画像を生成するために、前記ｎ個の視方向画像に対応するｎ個の視方向画像データを生成する視方向画像データ生成装置であって、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
各視方向画像に対応する元画像データに対して、それぞれ、データ量が少なくとも垂直方向に減縮されるように間引き処理を実行することによって、前記データ量が１／ｎに減縮された画像データを、前記ｎ個の視方向画像データとして生成する、
ことを特徴とする視方向画像データ生成装置。
【０００８】
適用例１では、各視方向画像に対応する元画像データに対して、それぞれ、データ量が少なくとも垂直方向に減縮されるように間引き処理を実行することによって、データ量が１／ｎに減縮された画像データを、ｎ個の視方向画像データとして生成することができる。これにより、例えば、従来技術の場合に比べて、指向性表示ディスプレイにおいて表示される各視方向画像の解像度の劣化を抑制しつつ、それぞれの元画像データのデータ量を減縮することにより視方向画像データを生成して、指向性表示ディスプレイに伝送し、指向性表示ディスプレイにおけるリアルタイムな表示が可能となる。
【０００９】
［適用例２］適用例１に記載の視方向画像データ生成装置であって、
前記画素ブロックはｎ行３列の前記画素要素で構成されており、
前記ｎ個の視方向画像データは、それぞれ、対応する前記元画像データに対して垂直方向のデータ量を（１／ｎ）に減縮した画像データである、
ことを特徴とする視方向画像データ生成装置。
【００１０】
［適用例３］適用例１に記載の視方向画像データ生成装置であって、
前記画素ブロックは３行ｎ列の前記画素要素で、かつ、各行ごとのｎ列が１列ずつ階段状にずれて構成されており、
前記ｎ個の視方向画像データは、それぞれ、対応する前記元画像データに対して垂直方向のデータ量を（１／３）に減縮し、水平方向のデータ量を（３／ｎ）に減縮した画像データである、
ことを特徴とする視方向画像データ生成装置。
【００１１】
特に、上記適用例１あるいは適用例２のようにすれば、従来技術の場合に比べて、例えば、指向性表示ディスプレイにおいて表示される各視方向画像の解像度の劣化を、より効果的に抑制することができる。
【００１２】
［適用例４］適用例１ないし適用例３のいずれかに記載の視方向画像データ生成装置であって、
生成した前記ｎ個の視方向画像データを外部の装置に送信する、
ことを特徴とする視方向画像データ生成装置。
【００１３】
適用例４では、生成したｎ個の視方向画像データを外部装置に送信することができる。
【００１４】
［適用例５］適用例１ないし適用例３のいずれかに記載の視方向画像データ生成装置であって、
生成した前記ｎ個の視方向画像データを所定の記憶装置に保存する、
ことを特徴とする視方向画像データ生成装置。
【００１５】
適用例５では、生成したｎ個の視方向画像データを所定の記憶装置に保存することができる。
【００１６】
［適用例６］適用例５に記載の視方向画像データ生成装置であって、
前記所定の記憶装置に保存した前記ｎ個の視方向画像データを読み出して、外部の装置に送信する、
ことを特徴とする視方向画像データ生成装置。
【００１７】
適用例６では、生成したｎ個の視方向画像データを外部装置に送信することができる。
【００１８】
［適用例７］適用例４または適用例６に記載の視方向画像データ生成装置であって、
前記ｎ個の視方向画像データを１組の画像データとしてまとめて送信する、
ことを特徴とする視方向画像データ生成装置。
【００１９】
［請求項８］適用例４または適用例６に記載の視方向画像データ生成装置であって、
前記ｎ個の視方向画像データを連続する１連の画像データとして送信する、
ことを特徴とする視方向画像データ生成装置。
【００２０】
適用例７または適用例８では、ｎ個の視方向画像データを効率よく外部の装置に送信することができる。
【００２１】
［適用例９］ｎ方向（ｎは２以上の整数）の視方向に対応するｎ個の視方向画像が組み合わされて構成される指向性表示用画像を表す指向性表示用画像データを生成する指向性表示用画像データ生成装置であって、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
前記ｎ個の視方向画像データは、各視方向画像に対応する元画像データに対して、それぞれ、データ量が少なくとも垂直方向に減縮されるように間引き処理を実行することによって、前記データ量が１／ｎに減縮された画像データであり、
前記ｎ個の視方向画像に対応するｎ個の視方向画像データを受信し、受信した前記ｎ個の視方向画像データが、それぞれ、各画素ブロックにおける各視方向画像ごとの前記３色の画素要素の位置となるように展開処理を実行することにより、前記指向性表示用画像データを生成する、
ことを特徴とする指向性表示用画像データ生成装置。
【００２２】
適用例９では、各視方向画像に対応する元画像データに対して、それぞれ、データ量が少なくとも垂直方向に減縮されるように間引き処理を実行することによって、データ量が１／ｎに減縮されたｎ個の視方向画像データを受信し、受信したｎ個の視方向画像データが、それぞれ、各画素ブロックにおける各視方向画像ごとの３色の画素要素の位置となるように展開処理を実行することにより、指向性表示用画像データを生成することができる。
【００２３】
［適用例１０］ｎ方向（ｎは２以上の整数）の視方向に対応するｎ個の視方向画像が組み合わされて構成される指向性表示用画像を表示し、前記指向性表示用画像に含まれる前記ｎ個の視方向画像を、それぞれ対応する前記視方向ごとに分離して表示する指向性表示ディスプレイであって、
前記指向性表示用画像を表す指向性表示用画像データを生成する指向性表示用画像データ生成部と、
前記指向性表示用画像データ生成装置で生成された前記指向性表示用画像データに基づいて前記指向性表示用画像を表示し、前記指向性表示用画像に含まれる前記ｎ個の視方向画像を、それぞれ対応する前記視方向ごとに分離して表示する指向性表示部と、
を備え、
前記視方向画像は、マトリクス状に配列された複数の画素によって構成されており、
前記視方向画像の前記複数の画素は、それぞれ、３色の画素要素によって構成されており、
前記指向性表示用画像は、複数の前記画素要素が行方向および列方向にマトリクス状に配列されて構成されており、
前記指向性表示用画像の前記複数の画素要素は、前記列方向に沿って並ぶ前記画素要素の列ごとに、互いに異なった色の前記画素要素の列となっているとともに、前記行方向および前記列方向に交差する斜め方向に沿って階段状に並ぶ前記画素要素の列ごとに、互いに異なった前記視方向画像の列となっており、
前記指向性表示用画像は、複数の画素ブロックに区分されており、
前記画素ブロックは、各視方向画像の前記３色の画素要素がそれぞれ１組ずつ含まれるように設定された（３・ｎ）個の前記画素要素で構成されている場合において、
前記ｎ個の視方向画像データは、各視方向画像に対応する元画像データに対して、それぞれ、データ量が少なくとも垂直方向に減縮されるように間引き処理を実行することによって、前記データ量が１／ｎに減縮された画像データであり、
前記指向性表示用画像データ生成部は、
前記ｎ個の視方向画像に対応するｎ個の視方向画像データを受信し、受信した前記ｎ個の視方向画像データが、それぞれ、各画素ブロックにおける各視方向画像ごとの前記３色の画素要素の位置となるように展開処理を実行することにより、前記指向性表示用画像データを生成する、
ことを特徴とする指向性表示ディスプレイ。
【００２４】
適用例１０では、各視方向画像に対応する元画像データに対して、それぞれ、データ量が少なくとも垂直方向に減縮されるように間引き処理を実行することによって、データ量が１／ｎに減縮されたｎ個の視方向画像データを受信し、受信したｎ個の視方向画像データが、それぞれ、各画素ブロックにおける各視方向画像ごとの３色の画素要素の位置となるように展開処理を実行することにより、指向性表示用画像データを生成することができる。そして、生成した指向性表示用画像データに基づいて指向性表示用画像を表示し、指向性表示用画像に含まれるｎ個の視方向画像を、それぞれ対応する視方向ごとに分離して表示することができる。
【００２５】
なお、本発明は、上記適用例で示した、視方向画像データ生成装置、指向性表示用画像データ生成装置、および、指向性表示ディスプレイとしての形態だけでなく、指向性表示システムとしての形態等の種々の装置の形態としても実現できる。また、装置としての態様だけでなく、視方向画像データ生成方法や、指向性表示用画像データ生成方法、指向性表示方法等の種々の方法の態様でも実現することができる。
【発明を実施するための最良の形態】
【００２６】
以下、本発明を実施するための最良の形態を実施例に基づき以下の順序で説明する。
Ａ．指向性表示システムの構成：
Ｂ．第１実施例の動作：
Ｂ１．視方向画像データ生成動作：
Ｂ２．指向性表示用画像データ生成動作：
Ｂ３．実施例の効果：
Ｃ．第２実施例の動作：
Ｃ１．視方向画像データ生成動作：
Ｃ２．指向性表示用画像データ生成動作：
Ｃ３．実施例の効果：
Ｄ．変形例：
【００２７】
Ａ．指向性表示システムの構成：
図１は、本発明の一実施例としての指向性表示システムを示すブロック図である。この指向性表示システム１０は、視方向画像データ生成装置２０と、指向性表示ディスプレイ３０と、を備えている。視方向画像データ生成装置２０は、入力される複数の画像データ（以下、「元画像データ」と呼ぶ）に基づいて、複数の視方向画像の画像データ（視方向画像データ）を生成し、生成した複数の視方向画像データを指向性表示ディスプレイ３０に供給する。そして、指向性表示ディスプレイ３０は、視方向画像データ生成装置２０から供給された複数の視方向画像データに基づいて、視方向ごとに異なる画像（視方向画像）を分離して同時に表示する。なお、説明を容易にするため、本実施例では、指向性表示ディスプレイ３０は、４つの視方向で４つの視方向画像を分離して同時に表示することができる指向性表示ディスプレイであるとして説明する。
【００２８】
視方向画像データ生成装置２０は、元画像データ入力部２１０と、元画像データバッファ２２０と、データ間引き部２３０と、視方向画像データバッファ２４０と、画像データ送信部２５０と、を備えている。
【００２９】
元画像データ入力部２１０は、指向性表示ディスプレイ３０で表示される４つの視方向画像に対応する複数の元画像データを、外部から受け取って元画像データバッファ２２０に格納する。
【００３０】
データ間引き部２３０は、間引き処理部２３２によって、元画像データバッファ２２０に格納されている４つの元画像データを画像単位で順に読み出し、あらかじめ用意されている間引きパターンデータ２３４に従ってそれぞれの元画像データに対して間引き処理を実行する。そして、それぞれの間引き処理の結果を、それぞれの視方向画像データとして視方向画像データバッファ２４０に格納する。
【００３１】
画像データ送信部２５０は、視方向画像データバッファ２４０に格納された４つの視方向画像データを、読み出して指向性表示用画像データとして指向性表示ディスプレイ３０に送信する。
【００３２】
なお、データ間引き部２３０における間引き処理および画像データ送信部２５０における送信処理については、さらに後述する。
【００３３】
指向性表示ディスプレイ３０は、画像データ受信部３１０と、画像データ受信バッファ３２０と、データ展開部３３０と、指向性表示用画像データバッファ３４０と、指向性表示部３５０と、を備えている。画像データ受信部３１０と、画像データ受信バッファ３２０と、データ展開部３３０と、指向性表示用画像データバッファ３４０と、が本発明の指向性表示用画像データ生成装置、あるいは、指向性表示用画像データ生成部に相当する。
【００３４】
画像データ受信部３１０は、視方向画像データ生成装置２０から伝送された複数の視方向画像データを受信して画像データ受信バッファ３２０に格納する。
【００３５】
データ展開部３３０は、展開処理部３３２によって、画像データ受信バッファ３２０に格納されている４つの視方向画像データを画像単位で順に読み出し、あらかじめ用意されている展開パターンデータ３３４に従ってそれぞれの視方向画像データに対して画像単位で展開処理を実行し、生成された展開画像データを指向性表示用画像データバッファ３４０に格納する。各展開画像データは、展開パターンデータに従って、各視方向画像ごとに異なる画素の位置に格納されることになり、指向性表示用画像データバッファ３４０に格納された４つの展開画像データは、全体として複数の視方向画像データが組み合わされた指向性表示用画像データとなる。
【００３６】
指向性表示部３５０は、指向性表示用画像データバッファ３４０に格納されたし指向性表示用画像データの表す指向性表示用画像を表示することにより、指向性表示用画像に含まれている複数の視方向画像をそれぞれ対応する視方向ごとに分離して表示する。
【００３７】
図２は、指向性表示部３５０による指向性表示動作について示す説明図である。指向性表示部３５０は、パララックスバリア方式の指向性表示ディスプレイを例に示している。この指向性表示部３５０は、表示パネル３５２と、表示パネル３５２の表示画面の前面に配置されたイメージスプリッタとしてのパララックスバリア３５４と、を備えている。
【００３８】
表示パネル３５２は、例えば液晶パネルで構成される。図３は、表示パネル３５２の表示画面を観察者側（不図示）から見た状態を模式的に示す説明図である。この表示パネル３５２は、図３に示すように、複数の画素要素がマトリクス状に配置されている。各画素要素には、Ｒ（赤）、Ｇ（緑）、Ｂ（青）の互いに異なった色のフィルタが、列方向に沿って並ぶ画素要素の列ごとに順に設けられている。また、各画素要素には、行方向（横方向，水平方向）および列方向（縦方向，垂直方向）に交差する斜め方向に沿って階段状に並ぶ画素要素の列ごとに、互いに異なった４つの視方向ａ，ｂ，ｃ，ｄ（図１参照）に対応する視方向画像Ｐａ，Ｐｂ，Ｐｃ，Ｐｄの画素要素が割り当てられる。ただし、各視方向画像の各画素は、Ｒ，Ｇ，Ｂの３色の画素要素を１組として構成される。
【００３９】
指向性表示部３５０に入力される指向性表示用画像データは、図３に示した各画素要素に対応するように各視方向画像データが合成された画像データである。
【００４０】
パララックスバリア３５４は、複数の開口部３５４ａを有する遮光板である。図４は、パララックスバリア３５４を観察者側（不図示）から見た状態を模式的に示す説明図である。パララックスバリア３５４の開口部３５４ａは、行方向に順に並ぶ４つの視方向画像の画素要素ごとに１つずつ配置される。また、パララックスバリア３５４の開口部３５４ａは、表示パネル３５２の各画素要素が、図３に示すように、斜め方向に沿って階段状に並ぶ画素要素の列ごとに、互いに異なった４つの視方向画像Ｐａ，Ｐｂ，Ｐｃ，Ｐｄの画素要素となっているのに対応して、斜め方向に沿って階段状に配置されている。さらに、パララックスバリア３５４の開口部３５４ａは、各画素要素から射出する画像光のうち、それぞれ対応する視方向に向かう画像光のみが開口部３５４ａを通過するように配置されている。
【００４１】
パララックスバリア３５４の開口部３５４ａを、上記したように配置することにより、図２に示すように、４つの視方向画像Ｐａ，Ｐｂ，Ｐｃ，Ｐｄの各要素から射出された画像光は、それぞれ対応する視方向ａ，ｂ，ｃ，ｄに向かう画像光のみに制限される。この結果、４つの視方向画像Ｐａ，Ｐｂ，Ｐｃ，Ｐｄは、それぞれ対応する視方向ａ，ｂ，ｃ，ｄにおいてのみ観察者によって視認することが可能となる。具体的には、図５に示すように、図２の第１の領域ＰＡ１では第１の視方向画像Ｐａが視認され、第２の領域ＰＡ２では第２の視方向画像Ｐｂが視認され、第３の領域ＰＡ３では第３の視方向画像Ｐｃが視認され、第４の領域ＰＡ４では第４の視方向画像Ｐが視認される。図５は、観察者によって視認される第１〜第４の視方向画像Ｐａ〜Ｐｄを模式的に示す説明図である。
【００４２】
また、観察者は、それぞれの領域の境界では、右目と左目で異なった視方向画像を視認することにより、３Ｄ画像を観察することができる。具体的には、図２の第１の領域ＰＡ１と第２の領域ＰＡ２の境界では、右目で第１の視方向画像Ｐａを視認し、左目で第２の視方向画像Ｐｂを視認することができる。また、図２の第２の領域ＰＡ２と第３の領域ＰＡ３の境界では、右目で第２の視方向画像Ｐｂを視認し、左目で第３の視方向画像Ｐｃを視認することができる。さらにまた、図２の第３の領域ＰＡ３と第４の領域ＰＡ４の境界では、右目で第３の視方向画像Ｐｃを視認し、左目で第４の視方向画像Ｐｄを視認することができる。
【００４３】
以上説明した指向性表示システム１０では、指向性表示ディスプレイで４つの視方向画像を分離して同時に表示する際に、指向性表示ディスプレイ３０に供給される画像データとして、４つの視方向画像に対応する元画像データではなく、元画像データを間引き処理することにより生成した視方向画像データとしている点に特徴を有している。また、供給された４つの視方向画像データを展開処理することにより、４つの視方向画像データが組み合わされた指向性表示用画像データを生成し、生成した指向性表示用画像データの表す指向性表示画像を表示することにより、４つの視方向画像を分離して同時に表示する点に特徴を有している。そこで、以下では、視方向画像データ生成装置２０における視方向画像データの生成動作および３０における指向性表示用画像データ生成動作について２つの実施例を用いて説明する。
【００４４】
Ｂ．第１実施例の動作：
Ｂ１．視方向画像データ生成動作：
図６は、第１実施例において設定される表示パネル３５２の画素ブロックについて示す説明図である。第１実施例では、図３に示した表示パネル３５２の各画素要素を、図６（Ａ）に示すように、各視方向画像Ｐａ，Ｐｂ、Ｐｃ，Ｐｄについて、それぞれＲ，Ｇ，Ｂの画素要素が１組ずつ含まれるように、４行３列の画素要素ごとに区分される矩形状のブロック（図中破線および一点鎖線の枠で示す）を、画素ブロックとして設定することとする。この画素ブロックには、視方向画像ごとに、それぞれＲ，Ｇ，Ｂの画素要素が１組ずつ含まれており、各視方向画像の１画素が割り当てられる。従って、この画素ブロックは、複数の視方向画像のそれぞれの画素が合成された指向性表示用画像としての１画素とみることもできる。
【００４５】
上記のように設定された画素ブロックでは、第１の視方向画像ＰａのＲ，Ｇ，Ｂの３色の画素要素で構成される１つの画素は、図６（Ｂ）に示すように、垂直方向に４倍に拡大された画素要素の領域に換えられることになる。同様に、第２〜第４の視方向画像Ｐｂ〜Ｐｄのそれぞれの１つの画素も、図６（Ｃ）〜図６（Ｅ）に示すように、それぞれ垂直方向に４倍に拡大された画素要素の領域に換えられることになる。言い換えると、第１〜第４の視方向画像Ｐａ〜Ｐｄを表示するために必要な画像データのデータ量は、それぞれ、対応する元画像データに対して垂直方向を１／４に減縮したデータ量でよいことになる。
【００４６】
そこで、視方向画像データ生成装置２０のデータ間引き部２３０は、以下で説明するように間引き処理を実行する。
【００４７】
図７は、第１実施例においてデータ間引き部２３０で実行される間引き処理について示す説明図である。データ間引き部２３０は、間引き処理部２３２によって、図７に示すように、第１の視方向画像Ｐａに対応する元画像データ（［Ｍ×Ｎ］画素要素の画像データとする）に対して、間引きパターンデータ２３４に含まれている第１の視方向画像用の間引きパターンデータに基づいて必要な画素要素のみを残すように間引き処理を実行し、元画像データに対して、縦方向のサイズが１／４に減縮された視方向画像データ（［Ｍ×（Ｎ／４）］画素要素の画像データ）を生成する。そして、データ間引き部２３０は、生成した視方向画像データを視方向画像データバッファ２４０に格納する。データ間引き部２３０は、同様に、他の第２〜第４の視方向画像Ｐｂ〜Ｐｄに対応する元画像データに対しても間引き処理を実行して、縦方向のサイズが１／４に減縮された視方向画像データを生成し、視方向画像データバッファ２４０に格納する。
【００４８】
視方向画像データバッファ２４０に格納された各視方向画像データのデータ量はそれぞれ元画像データの１／４であるので、４つの間引き画像データ全体としては、１つの元画像データのデータ量分となる。従って、画像データ送信部２５０によって指向性表示ディスプレイ３０に送信される画像データは、４つの元画像データを送信する場合に比べて１／４のデータ量に低減することが可能となる。
【００４９】
なお、画像データ送信部２５０は、各視方向画像データを画像単位で連続して読み出して送信することにより、指向性表示ディスプレイ３０に送信することができる。
【００５０】
図８〜図１０は、第１実施例において間引き処理を実行するためのパターンデータ２３４の表す間引きパターンの例を示す説明図である。図中の破線，一点鎖線，二点鎖線の枠は、横方向に並ぶ３つの画素ブロックに対応するように残される画素要素を示している。
【００５１】
図８に示す間引きパターンは、表示パネルの各画素ブロックにおいて各視方向画像に設定されているパターン（図６参照）に対応する画素要素のみを残すように、間引き処理を実行するための間引きパターンを示す例である。この間引きパターンを用いた場合には、元画像における各画素を構成するＲ，Ｇ，Ｂの３色の画素要素のうちいずれか１つが、必ず残されることになるので、色に関する解像度は劣化するものの、輝度に関する解像度の劣化を防止することができる。
【００５２】
図９に示す間引きパターンは、３行おきに１行の画素要素を残すように、間引き処理を実行するための間引きパターンの例である。この間引きパターンを用いた場合には、４行のうち３行の画像データが間引かれることになるので、輝度に関する垂直方向の解像度は劣化することになるが、水平方向の解像度の劣化はなく、かつ、間引かれていない画素については、それぞれ、画素を構成する３色の画素要素が残されることになるので、残された画素に関する色の解像度は劣化しない。
【００５３】
図１０に示す間引きパターンは、３色の画素要素を１組とする画素単位で階段状に画素を残すように、間引き処理を実行するための間引きパターンの例である。この間引パターンを用いた場合には、輝度に関する垂直方向の解像度の劣化が、図８の間引きパターンの場合よりも大きくなるが、図９の間引きパターンの場合よりも抑制することができ、かつ、間引かれていない画素については、それぞれ、画素を構成する３色の画素要素が残されることになるので、残された画素に関する色の解像度は劣化しない。
【００５４】
Ｂ２．指向性表示用画像データ生成動作：
上記のようにして生成された４つの視方向画像データを受信した指向性表示ディスプレイ３０のデータ展開部３３０は、展開処理部３３２によって、各視方向画像データに対して、展開パターンデータ３３４に含まれているそれぞれの視方向画像用の展開パターンデータに基づいて展開処理を実行し、４つの視方向画像データが組み合わされた指向性表示用画像データを生成する。
【００５５】
ここで、展開パターンデータ３３４に含まれている各視方向画像用の展開パターンデータは、図６（Ｂ）〜図（６Ｅ）に示すように、各画素ブロックにおける４つの視方向画像Ｐａ，Ｐｂ，Ｐｃ，Ｐｄそれぞれの画素要素の位置を示すパターンデータである。
【００５６】
展開処理部３３２では、４つの視方向画像データを、それぞれに対応する展開パターンデータによって示される画素要素の位置に展開することにより、指向性表示用画像データを生成することができる。
【００５７】
Ｂ３．実施例の効果：
以上説明したように、本実施例では、視方向画像データ生成装置２０において、４つの元画像データではなく、それぞれの元画像データに対して垂直方向のデータ量が１／４に減縮された４つの視方向画像データを生成し、指向性表示ディスプレイ３０に送信することができる。そして、指向性表示ディスプレイ３０において、視方向画像データ生成装置２０から送信された４つの視方向画像データを展開処理することにより、４つの視方向画像データが組合された指向性表示用画像データを生成し、指向性表示を実行することができる。
【００５８】
従って、本実施例では、指向性表示ディスプレイ３０で４つの視方向ごとに異なる視方向画像を分離して同時に表示するために、指向性表示ディスプレイに伝送される画像データの高速な伝送が可能となる。
【００５９】
また、本実施例では、視方向画像データ生成装置２０で実行される間引き処理は、元画像データを水平方向（横方向）で間引くのではなく、垂直方向（縦方向）に間引くので、水平方向の減縮によって発生する解像度の劣化を抑えることができる。
【００６０】
また、本実施例では、４つの視方向画像が組み合わされた指向性表示用画像は、斜め方向に沿って並ぶ画素要素の列単位で、互いに異なる視方向画像の列となるように、４つの視方向画像の画素要素が組み合わされているので、列方向に沿って並ぶ画素要素の列単位で、異なる視方向画像が組み合わされる場合に比べて、それぞれの視方向で分離して視認される視方向画像がストライプ状の複数の画像に区分された画像のように観察者が感じてしまうこと（「ストライプ感」とも呼ぶ)を防止することができる。
【００６１】
Ｃ．第２実施例の動作：
Ｃ１．視方向画像データ生成動作：
図１１は、第２実施例において設定される表示パネル３５２の画素ブロックについて示す説明図である。第２実施例では、図３に示した表示パネル３５２の各画素要素を、図１１（Ａ）に示すように、各視方向画像Ｐａ，Ｐｂ、Ｐｃ，Ｐｄについて、それぞれＲ，Ｇ，Ｂの画素要素が１組ずつ含まれるように、３行４列の画素要素であり、かつ、各行ごとの４列が１列ずつ階段状にずれたブロック（図中破線の枠で示す）を、画素ブロックとして設定することとする。第１実施例の場合と同様に、各画素ブロックには、視方向画像ごとに、それぞれＲ，Ｇ，Ｂの画素要素が１組ずつ含まれており、各視方向画像の１画素が割り当てられる。従って、この画素ブロックは、第１実施例の場合と同様に、複数の視方向画像のそれぞれの画素が合成された指向性表示用画像としての１画素とみることもできる。
【００６２】
上記のように設定された画素ブロックでは、第１の視方向画像ＰａのＲ，Ｇ，Ｂの３色の画素要素で構成される１つの画素は、図１１（Ｂ）に示すように、水平方向に４／３倍で垂直方向に３倍に拡大された画素要素の領域に置き換えられることになる。同様に、第２〜第４の視方向画像Ｐｂ〜Ｐｄのそれぞれの１つの画素も、図１１（Ｃ）〜図１１（Ｅ）に示すように、それぞれ水平方向に４／３倍で垂直方向に３倍に拡大された画素要素の領域に置き換えられることになる。言い換えると、第１〜第４の視方向画像Ｐａ〜Ｐｄを表示するために必要な画像データのデータ量は、それぞれ、対応する元画像データに対して水平方向を３／４に減縮し、垂直方向を１／３に減縮し、全体として１／４に減縮したデータ量でよいことになる。
【００６３】
そこで、視方向画像データ生成装置２０のデータ間引き部２３０は、以下で説明するように間引き処理を実行する。
【００６４】
図１２は、第２実施例においてデータ間引き部２３０で実行される間引き処理について示す説明図である。データ間引き部２３０は、間引き処理部２３２によって、図１２に示すように、第１の視方向画像Ｐａに対応する元画像データ（［Ｍ×Ｎ］画素要素の画像データとする）に対して、間引きパターンデータ２３４に含まれている第１の視方向画像用の間引きパターンデータに基づいて必要な画素要素のみを残すように間引き処理を実行し、元画像データに対して、横方向のサイズが３／４で縦方向のサイズが１／４に減縮された視方向画像データ（［（Ｍ・３・４）×（Ｎ・１／３）］画素要素の画像データ）を生成する。そして、データ間引き部２３０は、生成した視方向画像データを視方向画像データバッファ２４０に格納する。データ間引き部２３０は、同様に、他の第２〜第４の視方向画像Ｐｂ〜Ｐｄに対応する元画像データに対しても間引き処理を実行して、横方向のサイズが３／４で縦方向のサイズが１／３に減縮された視方向画像データを生成し、視方向画像データバッファ２４０に格納する。
【００６５】
視方向画像データバッファ２４０に格納された各視方向画像データのデータ量は、それぞれ、第１実施例の場合と比較すると、水平方向には３／４に減縮されるが、垂直方向には４／３に拡大される。ただし、各視方向画像データのデータ量としては、元画像データの１／４であり、第１実施例の場合と同じである。従って、画像データ送信部２５０によって指向性表示ディスプレイ３０に送信される画像データは、４つの元画像データを送信する場合に比べて１／４のデータ量に低減することが可能となる。
【００６６】
なお、画像データ送信部２５０は、各視方向画像データを画像単位で連続して読み出して送信することにより、指向性表示ディスプレイ３０に送信することができる。
【００６７】
図１３は、第２実施例において間引き処理を実行するためのパターンデータ２３４の表す間引きパターンの例を示す説明図である。図中の破線，一点鎖線，二点鎖線の枠は、横方向に並ぶ３つの画素ブロックに対応するように残される画素要素を示している。
【００６８】
図１３に示す間引きパターンは、表示パネルの各画素ブロックにおいて各視方向画像に設定されているパターン（図１１参照）に対応する画素要素のみを残すように、間引き処理を実行するための間引きパターンを示す例である。この間引きパターンを用いた場合には、元画像における各画素を構成するＲ，Ｇ，Ｂの３色の画素要素のうちいずれか１つが、必ず残されることになるので、色に関する解像度は劣化するものの、輝度に関する解像度の劣化を防止することができる。
【００６９】
なお、図示および説明を省略するが、第２実施例においても、第１実施例で説明した図９および図１０の間引きパターンを用いることも可能である。
【００７０】
Ｃ２．指向性表示用画像データ生成動作：
本実施例においても、上記のようにして生成された４つの視方向画像データを受信した指向性表示ディスプレイ３０のデータ展開部３３０は、上記したように、展開処理部３３２によって、各視方向画像データに対して、展開パターンデータ３３４に含まれているそれぞれの視方向画像用の展開パターンデータに基づいて展開処理を実行し、４つの視方向画像データが組み合わされた指向性表示用画像データを生成する。
【００７１】
ここで、展開パターンデータ３３４に含まれている各視方向画像用の展開パターンデータは、図１１（Ｂ）〜図１１（Ｅ）に示すように、各画素ブロックのおける４つの視方向画像Ｐａ，Ｐｂ，Ｐｃ，Ｐｄそれぞれの画素要素の位置を示すパターンデータである。
【００７２】
展開処理部３３２では、４つの視方向画像データを、それぞれに対応する展開パターンデータによって示される画素要素の位置に展開することにより、指向性表示用画像データを生成することができる。
【００７３】
Ｃ３．実施例の効果：
以上説明したように、本実施例においても、視方向画像データ生成装置２０において、４つの元画像データではなく、それぞれの元画像データに対して水平方向を３／４に減縮し垂直方向を１／３に減縮することにより、全体として１／４に減縮された４つの視方向画像データを、指向性表示ディスプレイ３０に送信することができる。そして、指向性表示ディスプレイ３０において、視方向画像データ生成装置２０から送信された４つの視方向画像データを展開処理することにより、４つの視方向画像データが組合された指向性表示用画像データを生成し、指向性表示を実行することができる。
【００７４】
従って、本実施例においても、指向性表示ディスプレイ３０で４つの視方向ごとに異なる視方向画像を分離して同時に表示するために、指向性表示ディスプレイに伝送される画像データの高速な伝送が可能となる。
【００７５】
また、本実施例では、視方向画像データ生成装置２０で実行される間引き処理は、元画像データを水平方向（横方向）で３／４に間引き、垂直方向（縦方向）を１／３に間引いているので、第１実施例の場合に比べて、水平方向の減縮による解像度の劣化は発生するものの、水平方向の減縮による解像度の劣化を抑えることができる。
【００７６】
また、本実施例においても、４つの視方向画像が組み合わされた指向性表示用画像は、斜め方向に沿って並ぶ画素要素の列単位で、互いに異なる視方向画像となるように組み合わされているので、列方向に沿って並ぶ画素要素の列単位で、異なる視方向画像が組み合わされる場合に比べて、画像のストライプ感を防止することができる。
【００７７】
Ｄ．変形例：
なお、上記実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００７８】
Ｄ１．変形例１：
上記実施例は、４つの視方向ごとに異なる画像（視方向画像）を分離して同時に表示させる場合を例に説明しているが、これに限定されるものではなく、複数の視方向で異なる画像を分離して同時に表示する場合にも適用可能である。
【００７９】
この場合において、例えば、同時に表示する視方向画像の数をｎ（ｎは２以上の整数）とすると、第１実施例のように、ｎ行３列の画素要素ごとに区分されるブロックが画素ブロックとして設定されている場合には、各視方向画像データは、それぞれ、対応する元画像データに対して垂直方向を（１／ｎ）に減縮したデータ量の画像データとすることができる。また、第２実施例のように、３行ｎ列の画素要素であり、かつ、各行ごとのｎ列が１列ずつ階段状にずれて区分されたブロックが画素ブロックとして設定されている場合には、各視方向画像データは、それぞれ、対応する元画像データに対して縦方向（垂直方向）を（１／３）に減縮し、横方向（水平方向）を（３／ｎ）に減縮したデータ量の画像データとすることができる。
【００８０】
Ｄ２．変形例２：
第１実施例の画素ブロックおよび第２実施例の画素ブロックに限定されるものではなく、各視方向画像ごとにそれぞれ３色の画素要素が含まれるように選択された種々の画素要素の組を１つの画素ブロックとすることができる。
【００８１】
Ｄ３．変形例３：
上記第１実施例における間引きパターンおよび第２実施例で説明した間引きパターンはいずれも一例であって、これらに限定されるものではなく、画素ブロックとして設定したブロックの形状、すなわち、各画素ブロックに含まれる各視方向画像ごとの３色の画素要素の選択パターンに応じて、種々の間引きパターンを利用することができる。
【００８２】
Ｄ４．変形例４：
上記実施例において、視方向画像データ生成装置２０の画像データ送信部２５０は、送信する画像データとして、視方向画像データバッファ２４０に格納されている４つの視方向画像データを画像単位で連続して読み出し、一連の画像データとして送信することとしたが、これに限定されるものではなく、４つの視方向画像データをまとめて１つの画像データとして送信するようにしてもよい。この場合において、データ間引き部２３０が４つの視方向画像データを視方向画像データバッファ２４０に格納する際に、１つの画像データにまとめてもよいし、視方向画像データバッファ２４０から４つの視方向画像データを読み出して送信する際に１つの画像データにまとめてもよい。
【００８３】
また、４つの視方向画像データをそれぞれ種々の一般的な圧縮アルゴリズムに従って圧縮処理して視方向画像データバッファ２４０に格納しておき、それぞれ圧縮処理した画像データを視方向画像データバッファ２４０から順に読み出して送信するようにしてもよい。あるいは、視方向画像データバッファ２４０に格納されている４つの視方向画像データを読み出して送信する際に、それぞれ圧縮処理し、圧縮処理した画像データを送信するようにしてもよい。また、４つの視方向画像データを１つにまとめた画像データに対しても同様に圧縮処理するようにしてもよい。
【００８４】
なお、圧縮処理した画像データを送信する場合には、画像データ受信部３１０あるいはデータ展開部３３０において圧縮された画像データを伸張する処理が実行される。
【００８５】
Ｄ５．変形例５：
上記実施例では、視方向画像データバッファ２４０に格納された４つの視方向画像データを指向性表示ディスプレイ３０に送信する場合を例に説明しているが、指向性表示ディスプレイ３０に送信する画像データを種々の外部記憶装置に格納するようにしてもよい。そして、外部記憶装置に格納された画像データを読み出して、指向性表示ディスプレイ３０に送信し、指向性表示ディスプレイ３０で表示するようにしてもよい。
【００８６】
Ｄ６．変形例６：
上記実施例では、指向性表示部３５０として、表示パネルとして液晶パネルを用い、イメージスプリッタとしてパララックスバリアを用いた指向性表示ディスプレイを例に説明しているが、これに限定されるものではなく、表示パネルとしては、例えば、ＣＲＴやプラズマディスプレイパネル、有機ＥＬディスプレイパネル等の種々の表示パネルを用いた指向性表示ディスプレイであってもよい。また、イメージスプリッタとしては、レンチキュラレンズや光学フィルタ等の種々のイメージスプリッタを用いた指向性表示ディスプレイであってもよい。
【００８７】
Ｄ７．変形例７：
上記実施例では、指向性表示システムを例に説明しているが、これに限定されるものではなく、視方向画像データ生成装置２０が指向性表示用画像データを送信する送信先としては、印刷装置等の種々の画像処理装置であってもよい。
【図面の簡単な説明】
【００８８】
【図１】本発明の一実施例としての指向性表示システムを示すブロック図である。
【図２】指向性表示部３５０による指向性表示動作について示す説明図である。
【図３】表示パネル３５２の表示画面を観察者側から見た状態を模式的に示す説明図である。
【図４】パララックスバリア３５４を観察者側から見た状態を模式的に示す説明図である。
【図５】観察者によって視認される第１〜第４の視方向画像Ｐａ〜Ｐｄを模式的に示す説明図である。
【図６】第１実施例において設定される表示パネル３５２の画素ブロックについて示す説明図である。
【図７】第１実施例においてデータ間引き部２３０で実行される間引き処理について示す説明図である。
【図８】第１実施例において間引き処理を実行するためのパターンデータ２３４の表す間引きパターンの例を示す説明図である。
【図９】第１実施例において間引き処理を実行するためのパターンデータ２３４の表す間引きパターンの他の例を示す説明図である。
【図１０】第１実施例において間引き処理を実行するためのパターンデータ２３４の表す間引きパターンの別の例を示す説明図である。
【図１１】第２実施例において設定される表示パネル３５２の画素ブロックについて示す説明図である。
【図１２】第２実施例においてデータ間引き部２３０で実行される間引き処理について示す説明図である。
【図１３】第２実施例において間引き処理を実行するためのパターンデータ２３４の表す間引きパターンの例を示す説明図である。
【符号の説明】
【００８９】
１０…指向性表示システム
２０…視方向画像データ生成装置
３０…指向性表示ディスプレイ
２１０…元画像データ入力部
２２０…元画像データバッファ
２３０…データ間引き部
２３２…間引き処理部
２３４…パターンデータ
２４０…視方向画像データバッファ
２５０…画像データ送信部
３１０…画像データ受信部
３２０…画像データ受信バッファ
３３０…データ展開部
３３２…展開処理部
３３４…展開パターンデータ
３４０…指向性表示用画像データバッファ
３５０…指向性表示部
３５２…表示パネル
３５４…パララックスバリア
３５４ａ…開口部
【図１】
2008292666.tif 000003
【図２】
2008292666.tif 000004
【図３】
2008292666.tif 000005
【図４】
2008292666.tif 000006
【図５】
2008292666.tif 000007
【図６】
2008292666.tif 000008
【図７】
2008292666.tif 000009
【図８】
2008292666.tif 000010
【図９】
2008292666.tif 000011
【図１０】
2008292666.tif 000012
【図１１】
2008292666.tif 000013
【図１２】
2008292666.tif 000014
【図１３】
2008292666.tif 000015